(57)【特許請求の範囲】
【請求項１】
車体（３）に搭載するグレンタンク（１）の後側に縦排穀オーガ（１９）を旋回可能に設けると共に該縦排穀オーガ（１９）の上端部に横排穀オーガ（２０）を上下回動可能に設け、該横排穀オーガ（２０）の先端側に端部オーガ（４０）をヒンジ（３９）回りに水平方向へ回動させて折り畳み可能に設け、前記横排穀オーガ（２０）を車体（３）に搭載する脱穀装置（４）のフレーム上に設けるＹ字形状のオーガ受（４１）に支持させられるように構成する一方、該横排穀オーガ（２０）の途中部に形成するリブ（４４）の横側にサブオーガ受（４５）を取り付け、該サブオーガ受（４５）の外側を開放して前記ヒンジ（３９）回りに回動する端部オーガ（４０）を受けることができるように構成し、前記端部オーガ（４０）のヒンジ（３９）回りの折り畳みを電動モータ（Ｍ２）によって駆動されるウォームギヤ（６０）を介して行わせるように構成すると共にウォーム軸（７６）の両端部にウォームホイルギヤ（７５）と前記ウォームギヤ（６０）とを一体に設け、該ウォーム軸（７６）におけるウォームホイルギヤ（７５）とウォームギヤ（６０）との間の間隔部に螺子（７７）部を形成して該螺子（７７）部にリンクアーム（７８）を螺合し、該リンクアーム（７８）を前記ウォーム軸（７６）の正逆回転によって軸方向へ移動するように構成すると共に該リンクアーム（７８）が軸方向の移動端に至ると該リンクアーム（７８）がウォーム軸（７６）と一体で回動するように構成し、該移動端におけるリンクアーム（７８）の回動によってリンクロッド（７９）を介してロックレバー（６２）を回動させて該ロックレバー（６２）を端部オーガ（４０）側の接合端部に設けたリングメタル（５２）に一体の係合突子（６３）の傾斜面（６４）に沿って摺動させて該端部オーガ（４０）側のリングメタル（５２）を横排穀オーガ（２０）側の接合端部に設けたリングメタル（５１）側へ締め付けることができるように構成したことを特徴とするコンバイン。
【発明の詳細な説明】
【０００１】
【発明の属する技術分野】
この発明は、コンバインに関する。
【０００２】
【発明が解決しようとする課題】
従来のコンバインの排穀オーガは、折り畳み及び接続の各位置維持が安定しにくい。
【０００３】
【課題を解決するための手段】
この発明は、車体（３）に搭載するグレンタンク（１）の後側に縦排穀オーガ（１９）を旋回可能に設けると共に該縦排穀オーガ（１９）の上端部に横排穀オーガ（２０）を上下回動可能に設け、該横排穀オーガ（２０）の先端側に端部オーガ（４０）をヒンジ（３９）回りに水平方向へ回動させて折り畳み可能に設け、前記横排穀オーガ（２０）を車体（３）に搭載する脱穀装置（４）のフレーム上に設けるＹ字形状のオーガ受（４１）に支持させられるように構成する一方、該横排穀オーガ（２０）の途中部に形成するリブ（４４）の横側にサブオーガ受（４５）を取り付け、該サブオーガ受（４５）の外側を開放して前記ヒンジ（３９）回りに回動する端部オーガ（４０）を受けることができるように構成し、前記端部オーガ（４０）のヒンジ（３９）回りの折り畳みを電動モータ（Ｍ２）によって駆動されるウォームギヤ（６０）を介して行わせるように構成すると共にウォーム軸（７６）の両端部にウォームホイルギヤ（７５）と前記ウォームギヤ（６０）とを一体に設け、該ウォーム軸（７６）におけるウォームホイルギヤ（７５）とウォームギヤ（６０）との間の間隔部に螺子（７７）部を形成して該螺子（７７）部にリンクアーム（７８）を螺合し、該リンクアーム（７８）を前記ウォーム軸（７６）の正逆回転によって軸方向へ移動するように構成すると共に該リンクアーム（７８）が軸方向の移動端に至ると該リンクアーム（７８）がウォーム軸（７６）と一体で回動するように構成し、該移動端におけるリンクアーム（７８）の回動によってリンクロッド（７９）を介してロックレバー（６２）を回動させて該ロックレバー（６２）を端部オーガ（４０）側の接合端部に設けたリングメタル（５２）に一体の係合突子（６３）の傾斜面（６４）に沿って摺動させて該端部オーガ（４０）側のリングメタル（５２）を横排穀オーガ（２０）側の接合端部に設けたリングメタル（５１）側へ締め付けることができるように構成したことを特徴とするコンバインとする。
【０００４】
【発明の効果】
この発明によると、横排穀オーガ（２０）の先端側に設ける端部オーガ（４０）をヒンジ（３９）回りに水平方向へ回動させて折り畳むことができ、横排穀オーガ（２０）を脱穀装置（４）のフレーム上に設けるＹ字形状のオーガ受（４１）に支持させることができると共に、ヒンジ（３９）回りに回動する端部オーガ（４０）を横排穀オーガ（２０）途中部のリブ（４４）の横側に設けたサブオーガ受（４５）に受けさせることができる。
また、端部オーガ（４０）のヒンジ（３９）回りの折り畳みを電動モータ（Ｍ２）と該電動モータ（Ｍ２）によって駆動されるウォームギヤ（６０）を介して行わせるため、この折り畳み及び接続の各位置維持を安定させることができる。
【０００５】
【発明の実施の形態】
コンバインは、穀稈引起装置６を有する刈取装置７をリフトシリンダ８の伸縮で昇降自在にして車体３に支架し、この刈取装置７で刈り取られる穀稈を穀稈搬送装置９で搬送してフィードチエン１０と挾扼杆１１との間に挾持させながら穂部を脱穀室１２へ供給して脱穀する自脱形態の脱穀装置４を搭載する。１３はクローラ走行装置である。
【０００６】
車体３の刈取装置７及び脱穀装置４の横側には、前部から後部に亘って、操縦台１４、操縦席１５、この操縦席１５下のエンジンＥ、この後方のグレンタンク１等を配置搭載している。脱穀装置４の脱穀室１２で脱穀される脱穀物は、下部の選別装置１６で選別されて、穀粒は一番受樋１７に受けられて、前記フィードチエン１０とは反対の側の脱穀側壁部５の一番揚穀機１８を揚穀されて、横側のグレンタンク１上部に供給される。又、このグレンタンク１の後側には旋回可能な縦排穀オーガ１９、及びこの上端部に対して上下回動可能の横排穀オーガ２０等を配置している。
【０００７】
前記グレンタンク１には、底部に前後方向の底樋２１と排穀オーガ２２とを設け、この後端を前記縦排穀オーガ２０の下端部に連通させる。又、このグレンタンク１は、該縦排穀オーガ２０部近くをヒンジＰとして横外側方へ回動させて、脱穀装置４との間を開くことができる。このグレンタンク１の前側には、該排穀オーガ２２を連動するカップリング２３と、このグレンタンク１の開閉回動を固定、解除するロック機構２４が設けられる。
【０００８】
前記グレンタンク１の排穀オーガ２２の伝動は、前側のエンジンＥからテンションプーリ２５とベルト２６とによる排穀クラッチ２を介して、ギヤ２７、及びラジエータ２８下の伝動軸２９を連動し、この伝動軸２９への後端部のカップリング３０に前記排穀オーガ２２のカップリング２３を係合させて、伝動することができる。該排穀クラッチ２は操縦台１４横側の操作レバー３１でワイヤー３２を介してテンションプーリ２５を入り切り操作できる。
【０００９】
前記テンションプーリ２５による排穀クラッチ２を操作する操作レバー３１及びワイヤー３２の他に、電動モータＭ１とこれにより連動するワイヤー３３とがこの排穀クラッチ２に設けられる。電動モータＭ１は脱穀装置４のグレンタンク１側の側壁部５において、できるだけ高位置に設けられる。側壁部５は脱穀内側部へ窪ませて上側を覆うモータカバー３４を形成し、雨水を受けない構成としている。この電動モータＭ１によって操作されるワイヤー３３が前記テンションプーリ２５のアームに連結されている。３５は脱穀室１２上を開閉できる脱穀カバーである。３６は排稈装置である。
【００１０】
なお、図例では電動モータＭ１を脱穀側壁部５に直接取り付ける構成としたが、例えば前記一番揚穀機１８等に取付支持させて、モータカバーで上側を覆う形態とするもよい。
前記電動モータＭ１の操作スイッチ３７を前記横排穀オーガ２０の先端部の排穀口３８の近くに配置して、操縦席１５以外の排出位置から遠隔操作できるようにしている。これら操作スイッチ３７の操作による伝動モータＭ１からの排穀クラッチ２の操作連動と、操作レバー３１による連動とは各々独立的に行われるように構成している。
【００１１】
コンバイン作業でグレンタンク１に収容された穀粒を機外へ取り出すときは、操縦者が操縦席１５にいるときは、操作レバー３１を操作して、テンションプーリ２５をベルト２６張圧させて、排穀クラッチ２を入りにするとよい。これによって排穀オーガ２２，１９，２０等が回転されて、グレンタンク１内の穀粒が搬送され、排穀口３８から排出される。
【００１２】
又、操縦者が操縦席１５から離れて排出位置へ旋回された排出口３８近くにいるときは、この横排穀オーガ２０部の操作スイッチ３７を操作すればよい。電動モータＭ１の駆動で操作ワイヤ３３を介して排穀クラッチ２が入り切りされる。
このような電動モータＭ１は、左右を脱穀壁部５とグレンタンク１とで囲まれて、高い位置にあるため、脱穀排稈やわら屑等が降りかかり難く、走行地面からの泥土や、雨露等を受け難い、又、メンテナンス時にグレンタンク１をヒンジＰの回りに外方へ開くときは、電動モータＭ１は脱穀装置４側に一体に取付けられているためワイヤー３３が移動されることがない。
【００１３】
図７〜図９において、上例と異なる点は、前記横排穀オーガ２０先端側の端部オーガ４０をヒンジ３９回りに水平方向へ折畳可能の構成とし、これらの横排穀オーガ２０及び端部オーガ４０を、オーガ受４１に支持させて、折畳姿勢保持を安定させるものである。又、横排穀オーガ２０に対して端部オーガ４０を接続させたときのロックレバー４２のロック位置をクリップ４３で係止して、ロックレバー４２が振動等で外れないようにするものである。
【００１４】
前記横排穀オーガ２０は、脱穀装置４のフレーム上等に設けられるＹ字状のオーガ受４１に支持される。この横排穀オーガ２０は途中に接合部のリブ４４が形成されていて、このリブ４４の横側にサブオーガ受４５が取り付けられる。このサブオーガ受４５は外側を開放して前記ヒンジ３９回りに回動する端部オーガ４０を受けることができる。このサブオー受４５の上下端にはフック４６，４７を有して、これらの間にゴムバンド４８の両端のフックリング４９，５０を引っ掛けて、サブホルダ受４５に受けられた端部オーガ４０を締め付けて、振動しないように支持する。
【００１５】
又、前記横排穀オーガ２０と端部オーガ４０との接合端部は、リングメタル５１，５２を有し、一方のリングメタル５１のブラッケト５４には、Ｌ字状のロックレバー４２の基部をオーガ軸に沿う方向へ移動可能に設け、他方のリングメタル５２のＵ字状の係合突子５３に引き出されて係合させることができる。このロックレバー４２をブラケット５４に対して回動して、先端部をブラケット５４側に取り付けられる板ばねからなるグリップ４３に挾持させることができ、これによってロックレバー４２が外れるのを防止する。５５は各リングメタル５１，５２内に一体成型のオーガ軸受部、５６，５７はオーガ、５８，５９はオーガ軸である。
【００１６】
図１０、図１１において、上例と異なる点は、前記横排穀オーガ２０における端部オーガ４０のヒンジ３９回りの折畳を、電動モータＭ２とこれによって駆動されるウォームギヤ６０とウォームホイルギヤ６１を介して連動回転させて行わせる構成とし、折畳、接続の各位置維持を安定させるものである。
前記電動モータＭ２の駆動でウォームギヤ６０が回動されると同時にＬ時状のレバー溝６５を有するロックレバー６２が回動されて、端部オーガ４０側のリングメタル５２に一体のＵ字状係合突子６３に係合すると共に、この係合突子６３の傾斜面６４に沿って摺動させて、このリングメタル５２を横排穀オーガ２０のリングメタル５１側へ引き付けるように締め付けることができる。又、この端部オーガ４０を折畳むときは、このロックレバー６２が係合突子６３から外れる方向に回動されて、端部オーガ４０の折畳回動によって係合突子６３のＵ字状溝がロックレバー６２から外れる。６６はモータＭ２を電動するリミットスイッチ、７３はスイッチ押片で、該リングメタル５１，５２に対向させて設けられ、端部オーガ４０の連接、折畳を検出する。
【００１７】
前記モータＭ２からウォームギヤ６０への連動は、ウォームギヤ７４、ウォームホイルギヤ７５、及びウォーム軸７６を経て行われる。このウォーム軸７６の両端部に該ウォームホイルギヤ７５とウォームギヤ６０とを一体として、これらのギヤ７５，６０間の一定間隔部に螺子７７部を形成して、リンクアーム７８を螺合する。このリンクアーム７８はウォーム軸７６の正・逆回転によって軸方向へ移動されて、この移動端ではリンクアーム７８をも一体に回動する。このリンクアーム７８の回動によってリンクロッド７９を介して前記ロックレバー６２の基部に一体のリンクアーム８０を連動して、このロックレバー６２を係合突子６３の傾斜面６４に係合させたり、離脱させるように回動させる。
【００１８】
なお、このモータＭ２の駆動時間はタイマーリレーを用いて、ロックレバー６２の係合突子６３への締め付けを一定の時間で制御するように構成するもよい。
図１２において、上例と異なる点は、前記横排穀オーガ２０を電動モータＭ３，Ｍ４駆動で上下左右の方向へ移動するためのスイッチ基板６７の回路構成で、各方向操作のスイッチＳＷ１〜ＳＷ４の回路間に一定の抵抗Ｒ１〜Ｒ４を設けて、マイコンＣＯＭへハーネス６８で連結したものである。各押されたスイッチの抵抗差で横排穀オーガ２０の作動方向を識別して、出力モータ、及びこのモータの駆動方向を選択する。
【００１９】
前記横排穀オーガ２０を縦排穀オーガ１９と共に左右の方向へ旋回するためのモータＭ４は、ウォームギヤ６９及びウォームホイルギヤ７０を介してピニオンギヤ７１を伝動し、このピニオンギヤ７１を縦排穀オーガ１９下端のリングギヤ７２に噛合することによって、旋回伝動する構成である。モータＭ４の停止時は排穀オーガ１９，２０側の回動を行わせないで安定させることができる。
【００２０】
前記縦排穀オーガ１９の上端部に対して横排穀オーガ２０はギヤドモータＭ３の駆動によって上下回動される。
【図面の簡単な説明】
【図１】  電動モータ取付部の斜視図。
【図２】  コンバインの平面図。
【図３】  その側面図。
【図４】  排穀オーガ伝動部の平面図。
【図５】  その一部の斜視図。
【図６】  脱穀装置部の正面図。
【図７】  排穀オーガ部の平面図。
【図８】  その一部オーガ受部の平面図と正面図。
【図９】  オーガ折畳部の平面図と、正面図。
【図１０】  オーガ折畳部の平面図。
【図１１】  その作用を示す斜視図。
【図１２】  横排穀オーガ部の操作スッチ回路図。
【符号の説明】
１  グレンタンク
３  車体
４  脱穀装置
１９ 縦排穀オーガ
２０ 横排穀オーガ
３９ ヒンジ
４０ 端部オーガ
４１ オーガ受
４４ リブ
４５ サブオーガ受
５１ リングメタル
５２ リングメタル
６０ ウォームギヤ
６２ ロックレバー
６３ 係合突子
６４ 傾斜面
７５ ウォームホイルギヤ
７６ ウォーム軸
７７ に螺子
７８ リンクアーム
７９ リンクロッド
Ｍ２ 電動モータ
【図１】
0003718961.tif 000002
【図２】
0003718961.tif 000003
【図３】
0003718961.tif 000004
【図４】
0003718961.tif 000005
【図５】
0003718961.tif 000006
【図６】
0003718961.tif 000007
【図７】
0003718961.tif 000008
【図８】
0003718961.tif 000009
【図９】
0003718961.tif 000010
【図１０】
0003718961.tif 000011
【図１１】
0003718961.tif 000012
【図１２】
0003718961.tif 000013